(57)【要約】【課題】  ケーブルの絡まりを防止し、簡便に余長を保持することにより、余長の有効活用を可能にし、資源の有効活用及びネットワーク構築コストを低減する。【解決手段】  ８の字巻きしたケーブル１１を収納するケーブル用収納箱２００に使用される余長収納部材１００を、所定長に形成され両端が開口した中空管２５とした。ケーブル用収納箱２００は、前記余長収納部材１００を具備してなる。【選択図】  図１
2010168074.tif 000002
【特許請求の範囲】
【請求項１】
８の字巻きしたケーブルを収納するケーブル用収納箱に使用される余長収納部材であって、
所定長に形成され両端が開口した中空管であることを特徴とする余長収納部材。
【請求項２】
請求項１記載の余長収納部材であって、
前記中空管は両端が近接するように曲げられていることを特徴とする余長収納部材。
【請求項３】
請求項１又は請求項２記載の余長収納部材であって、
前記中空管が板状部材の平面に取り付けられていることを特徴とする余長収納部材。
【請求項４】
８の字巻きしたケーブルを収納するケーブル用収納箱であって、
請求項１〜請求項３のいずれか１項記載の余長収納部材を具備することを特徴とするケーブル用収納箱。
【請求項５】
請求項４記載のケーブル用収納箱であって、
前記余長収納部材が、ケーブル引出口の開口した面を除く外側面に装備されることを特徴とするケーブル用収納箱。
【請求項６】
請求項４又は請求項５記載のケーブル用収納箱であって、
前記余長収納部材が、スライド自在に装備されて箱内部に収納可能となることを特徴とするケーブル用収納箱。
【請求項７】
請求項４〜請求項６のいずれか１項記載のケーブル用収納箱であって、
前記余長収納部材の形態が箱体の外面寸法以下の大きさに形成されて装備されることを特徴とするケーブル用収納箱。
【請求項８】
８の字巻きしたケーブルを収納するケーブル用収納箱から余分に引き出された余長ケーブルを請求項１〜請求項３のいずれか１項記載の余長収納部材に挿通することを特徴とする余長収納方法。
【発明の詳細な説明】
【技術分野】
【０００１】
本発明は、８の字巻きしたケーブルを箱から余分に引き出した際に生じる余長を収納する余長収納部材及びケーブル用収納箱並びにこれを用いた余長収納方法に関する。
【背景技術】
【０００２】
主に室内に布設されるＬＡＮケーブル、インドア用光ケーブルなどの比較的細径のケーブルの収納に、８の字巻きしたケーブルを収納するケーブル用収納箱が用いられている。このケーブル用収納箱は、ケーブルを絡めずに引き出しやすい、いわゆる８の字巻きしたケーブルの状態で収納するもので、一つの面に形成された穴からケーブルが引き出されて布設されるようになっている。このケーブル用収納箱は、使用後つまりケーブルがなくなった後に廃棄が容易となるようにダンボールを主体として形成されている（例えば、特許文献１，２参照）。
【先行技術文献】
【特許文献】
【０００３】
【特許文献１】特許第３９８６０６７号公報
【特許文献２】特開２００１−６３７８４号公報
【発明の概要】
【発明が解決しようとする課題】
【０００４】
上記したケーブル用収納箱においては、室内にケーブルを布設し終わった後、ケーブルを箱から余分に引き出した余長（例えば、５〜１０ｍ程度）が残ることがある。ケーブル用収納箱においては、この余長を箱の中に押し込んでしまうと、箱の中でケーブルが絡まってしまい、次に引き出そうとしてもスムーズに引き出せなかったり、ケーブルにキンク（折れ曲がり）が発生したりして、ケーブルが光ケーブルである場合は断線に至るなどのトラブルの原因となる。このため、布設作業後は箱の近傍でケーブルを切断し、余長は廃棄することとしている。しかしながら、このように余長を廃棄すると、資源の無駄になり、ネットワーク構築コストが増大してしまう。
【０００５】
そこで、本発明は、ケーブルの絡まりを防止しつつ簡便に余長を保持することにより、余長の有効活用を可能にし、資源の有効活用及びネットワーク構築コストを低減することができる、８の字巻きしたケーブルを収納する余長収納部材及びケーブル用収納箱並びにこれを用いた余長収納方法を提供することを目的とする。
【課題を解決するための手段】
【０００６】
本発明に係る上記目的は、下記構成により達成される。
（１）  ８の字巻きしたケーブルを収納するケーブル用収納箱に使用される余長収納部材であって、
所定長に形成され両端が開口した中空管であることを特徴とする余長収納部材。
【０００７】
この余長収納部材によれば、単にケーブル余長の先端を中空管の入り口に押し込むだけでよく、中空管より長いケーブルであっても中空管を複数回挿通して巻くことで簡単にホールド、すなわち、収納できる。つまり、中空管がホルダとなる。余長を引き出す際にも、箱に近い側のケーブルを引っ張って、余長を中空管から引き出すだけで、ケーブルに撚りが発生することなく引き出すことができ、布設作業性が良好となる。
【０００８】
（２）  （１）の余長収納部材であって、
前記中空管は両端が近接するように曲げられていることを特徴とする余長収納部材。
【０００９】
この余長収納部材によれば、両端が近接することで、中空管がＣ字型となり、一端の入り口から挿入されたケーブルは、中空管内に沿って湾曲して、他端の出口から導出可能となる。ケーブル余長が中空管の全長よりも長い場合には、出口から導出されたケーブルの先端が再び中空管の入り口に挿入され、長尺のケーブルが複数回の周回により収納可能となる。また、中空管がＣ字型となることで、挿通されるケーブル余長の最小曲げ内径が一定以下とならないように規制することが可能となる。
【００１０】
（３）  （１）又は（２）の余長収納部材であって、
前記中空管が板状部材の平面に取り付けられていることを特徴とする余長収納部材。
【００１１】
この余長収納部材によれば、ケーブル用収納箱と別体の板状部材に中空管が取り付けられ、ケーブル用収納箱位置と異なる作業しやすい位置でのケーブルの収納が可能となる。また、使用済みのケーブル用収納箱から中空管を板状部材ごと分離し、分離した中空管及び板状部材からなる余長収納部材の再利用が可能となる。
【００１２】
（４）  ８の字巻きしたケーブルを収納するケーブル用収納箱であって、
請求項１〜請求項３のいずれか１項記載の余長収納部材を具備することを特徴とするケーブル用収納箱。
【００１３】
このケーブル用収納箱によれば、ケーブル用収納箱と余長収納部材が一体となり、布設作業現場への余長収納部材の搬入搬出が容易となる。つまり、関連部材同士がワンセットとなり、利便性が向上する。
【００１４】
（５）  （４）のケーブル用収納箱であって、
前記余長収納部材が、ケーブル引出口の開口した面を除く外側面に装備されることを特徴とするケーブル用収納箱。
【００１５】
このケーブル用収納箱によれば、ケーブル引出口から引き出されたケーブル余長が、ケーブル引出口の形成面に隣接する外側面に設けられた余長収納部材に挿入でき、適度な挿入作業スペースが形成されて、挿入が容易になるとともに、余長を引き出す際には、ケーブル引出口から外側面に渡って露出した渡りケーブル部分を引っ張ることで、ケーブル余長を余長収納部材から容易に引き出すことができる。
【００１６】
（６）  （４）又は（５）のケーブル用収納箱であって、
前記余長収納部材が、スライド自在に装備されて箱内部に収納可能となることを特徴とするケーブル用収納箱。
【００１７】
このケーブル用収納箱によれば、余長収納部材がケーブル用収納箱内に収納されることにより、余長もケーブル用収納箱によって保護されるので、搬出入作業により余長に生じる外傷を防止できる。また、余長収納作業中は、余長収納部材の口がケーブル用収納箱の外に出ている方が作業しやすいが、余長がケーブル用収納箱から飛び出したままであると他部材と干渉して外傷を受ける虞が生じる。本構成では、余長収納部材をスライド可能にケーブル用収納箱内に収納し、余長収納作業時は中空管の口を外に出し、作業終了後は余長全体をケーブル用収納箱内に収納することで、作業性向上と外傷防止を両立できる。
【００１８】
（７）  （４）〜（６）のいずれか１つのケーブル用収納箱であって、
前記余長収納部材の形態が箱体の外面寸法以下の大きさに形成されて装備されることを特徴とするケーブル用収納箱。
【００１９】
このケーブル用収納箱によれば、余長収納部材の最大高さないし奥行きがケーブル用収納箱の高さ及び奥行きを越えないサイズとなることで、余長収納部材とケーブル用収納箱を並べて置くのが容易となり、複数のケーブル用収納箱を整頓する場合等の収納スペースを節減できる。
【００２０】
（８）  ８の字巻きしたケーブルを収納するケーブル用収納箱から余分に引き出された余長ケーブルを（１）〜（３）のいずれか１つの余長収納部材に挿通することを特徴とする余長収納方法。
【００２１】
この余長収納方法によれば、ケーブル用収納箱から余分に引き出されたケーブル余長の先端を、中空管の入り口に挿入し、順次押し込んで行くことにより、ケーブル余長が中空管に沿って収納され、余長が中空管よりも長い場合にも、出口から出たケーブルを再度、中空管の入り口から挿入することで中空管に沿って周回させることができ、任意長さのケーブルが撚りを生じさせずに容易に収納可能となる。
【発明の効果】
【００２２】
本発明に係る余長収納部材によれば、所定長に形成され両端が開口した中空管であるので、単にケーブル余長の先端を中空管に押し込むだけで収納でき、余長を引き出す際には中空管から引き出すだけで撚りが発生することなくケーブルを引き出すことができる。この結果、ケーブルの絡まりを防止しつつ簡便に余長を保持することにより、余長の有効活用を可能にし、資源の有効活用及びネットワーク構築コストを低減できる。
【００２３】
本発明に係るケーブル用収納箱によれば、請求項１〜請求項３のいずれか１項記載の余長収納部材を具備するので、ケーブル用収納箱と余長収納部材が一体となり、布設作業現場への搬入搬出が容易になる。この結果、作業性を向上させ、作業時間の短縮を可能とすることができる。
【００２４】
本発明に係る余長収納方法によれば、ケーブル用収納箱から引き出された余長ケーブルを請求項１〜請求項３のいずれか１項記載の余長収納部材に挿通するので、ケーブル余長の先端を中空管の入り口に挿入し、順次押し込むことにより、任意長さのケーブルを、撚りを生じさせずに容易に収納できる。
【図面の簡単な説明】
【００２５】
【図１】本発明の第一の実施の形態に係る余長収納部材を備えたケーブル用収納箱の斜視図である。
【図２】（ａ）は図１に示したケーブル用収納箱の外側面の正面図、（ｂ）は図１に示したケーブルの断面図である。
【図３】中空管を取り付けた板状部材が外側面に装着された第二の実施の形態に係るケーブル用収納箱の分解斜視図である。
【図４】中空管がスライド自在となって箱内に収納される第三の実施の形態に係るケーブル用収納箱の斜視図である。
【図５】（ａ）は中空管を引き出した状態の側面図、（ｂ）は中空管を箱内に収納した状態の側面図である。
【発明を実施するための形態】
【００２６】
以下、本発明に係る余長収納部材及びケーブル用収納箱並びにこれを用いた余長収納方法の好適な実施の形態について図面を参照して説明する。
図１は本発明の第一の実施の形態に係る余長収納部材を備えたケーブル用収納箱の斜視図である。
本実施の形態による余長収納部材１００は、８の字巻きしたケーブル１１を収納するケーブル用収納箱２００の箱本体１３に取り付けて使用される。取り付けの形態は、固定、着脱自在な装着、或いはスライド自在な収納構造とすることができる。本実施の形態では、固定手段である例えば結束バンド（インシュロック）１５で箱本体１３の外側面１７に固定される例を説明する。
【００２７】
箱本体１３は、ダンボール１９にて例えば六面体形状に形成され、一つの面である正面２１に円形状のケーブル引出口２３が開口されている。箱本体１３内にはケーブル１１である例えば光ケーブルが８の字巻きされて収納されている。８の字巻きは、中央交差部を境に巻き方向が反転する巻取り方式で、ケーブル１１を束から引き出しても撚れず、従来のドーナッツ状の巻取り方式と比べ、現場で捩れ戻しの手間、捩れ、キンクによる特性悪化、断線等の問題が発生し難い。
【００２８】
余長収納部材１００は、その主要部材として、所定長に形成され両端が開口した中空管２５を有する。中空管２５は、合成樹脂製可撓電線管（ＣＤ管；Combined Duct）やポリエチレン管のようなフレキシブルな管を曲げて使用してもよいし、Ｃ字型に成型、固定されたプラスチック管でもよい。また、いわゆるコルゲートチューブのように、蛇腹のものを用いれば、耐衝撃性、屈曲性、形状復元性、スムーズな通線性を得ることができる。
【００２９】
中空管２５は、両端の入り口２７と出口２９が近接するように曲げられる。両端が近接することで、中空管２５がＣ字型となり、一端の入り口２７から挿入されたケーブル１１は、中空管２５内に沿って湾曲して、他端の出口２９から導出可能となる。したがって、箱本体１３から引き出されて、布設作業後に残ったケーブル余長が中空管２５の全長よりも長い場合には、出口２９から導出されたケーブル１１の先端が再び入り口２７に挿入されることで、中空管２５の全長より長いケーブル１１が複数回の周回により収納可能となる。また、中空管２５がＣ字型となることで、挿通されるケーブル余長の最小曲げ内径が一定以下とならないように規制することも可能となる。
【００３０】
中空管２５の形状は、本実施の形態のようにＣ字型以外にも、Ｕ字型、或いは直線であってもよい。直線型とした場合には、一本の直線型中空管２５を設けてもよく、複数の直線型中空管２５を、周回経路に離間して配設してもよい。一本の直線型中空管２５を設けて構成する場合には、入り口２７から挿入したケーブル１１を出口２９から引き出し、弧を描くように屈曲して再び入り口２７に挿入し、これを繰り返すことにより、周回巻きされた環状ケーブル束の周方向の一部分を中空管２５にて保持する。
【００３１】
図２（ａ）は図１に示したケーブル用収納箱の外側面の正面図、（ｂ）は図１に示したケーブルの断面図である。
Ｃ字型に曲げた中空管２５は、最小の曲げ内径Ｄが、ケーブル１１の最大外径ｄの２０倍以上であることが好ましい。これにより、ケーブル１１が光ケーブルであっても光ファイバ心線に過大な曲げ歪みを生じさせないため、伝送損失が抑制され、信頼性の低下を生じさせない。
【００３２】
また、中空管２５は、内径Ａが、図２（ｂ）に示すケーブル１１の最大外径ｄの５倍以上であることが好ましい。なお、ケーブル１１は、断面円形状のもの１１Ａ、或いは短辺ｓ、長辺ｔからなる断面矩形状のもの１１Ｂのいずれであってもよく、断面矩形状のもの１１Ｂの場合には対角距離が最大外径ｄとなる。中空管２５の内径Ａがケーブル１１の最大外径ｄより十分に大きいことで、ケーブル１１を複数周収納する作業が容易になり、中空管２５の長さ以上の余長を容易に収納することができるようになる。つまり、図１に示すように、周回巻きされた環状ケーブル束が余裕を持ってホールド可能となる。
【００３３】
このように、余長収納部材１００では、単に余長ケーブルの先端を中空管２５の入り口２７に押し込むだけでよく、中空管２５より長いケーブル１１であっても複数回挿通して巻くことで簡単にホールド、すなわち、収納できる。つまり、中空管２５がホルダとなる。これに加え、余長ケーブルを引き出す際にも、箱本体１３に近い側のケーブル１１（後述する渡りケーブル部分１１ａ）を引っ張って、余長ケーブルを中空管２５から引き出すだけで、ケーブル１１に撚りが発生することなく引き出すことができ、布設作業性が良好となる。
【００３４】
次に、上記余長収納部材１００を備えたケーブル用収納箱２００について説明する。
ケーブル用収納箱２００は、図１に示すように、上記した余長収納部材１００を一体に備えたものとすることができる。本実施の形態では、Ｃ字型に曲げられた余長収納部材１００が、ケーブル引出口２３の開口した正面２１を除く外側面１７に、インシュロック１５にて複数箇所（図例では３箇所）で固定されている。
【００３５】
ケーブル用収納箱２００は、余長収納部材１００が一体となることで、布設作業現場への余長収納部材１００の搬入搬出が容易となる。つまり、関連部材同士がワンセットとなり、利便性が向上する。また、ケーブル引出口２３から引き出された余長ケーブルが、ケーブル引出口２３の形成面（正面２１）に隣接する外側面１７に設けられた余長収納部材１００に挿入でき、適度な挿入作業スペース（ケーブル引出口２３から外側面１７までのスペース）が確保でき、挿入が容易になる。また、余長を引き出す際には、ケーブル引出口２３から外側面１７に渡って露出した渡りケーブル部分１１ａを引っ張ることで、余長ケーブルを中空管２５から容易に引き出すことができる。
【００３６】
ここで、余長収納部材１００の形態は、箱本体１３の外面（本例では外側面１７）寸法以下の大きさに形成されて装備されることが好ましい。すなわち、図２に示すように、余長収納部材１００の最大高さｈないし奥行きｂがケーブル用収納箱２００の高さＨ及び奥行きＢを越えないサイズとなることで、余長収納部材１００とケーブル用収納箱２００を並べて置くのが容易となる。これにより、例えば複数のケーブル用収納箱２００を整頓する場合等の収納スペースを節減することができる。また、余長収納部材１００に挿通して周回巻きされた環状ケーブル束の余長収納部材１００からの露出部分が、箱本体１３の外面から飛び出すことによる、外傷を防止することができる。
【００３７】
余長収納部材１００の備えられたケーブル用収納箱２００を用いる余長収納方法では、８の字巻きしたケーブル１１を収納する箱本体１３から余分に引き出された余長ケーブルを、余長収納部材１００に挿通する。箱本体１３から余分に引き出された余長ケーブルの先端を、中空管２５の入り口２７に挿入し、順次押し込んで行くことにより、余長ケーブルが中空管２５に沿って収納されて行く。余長が中空管２５よりも長い場合にも、出口２９から出たケーブル１１を再度、中空管２５の入り口２７から挿入することで、中空管２５に沿って周回させることができ、任意長さのケーブル１１が撚りを生じさせずに容易に収納可能となる。なお、入り口２７と出口２９を適宜な距離に近接させれば、出口２９から導出されたケーブル１１を、そのまま入り口２７へ送り込むことも可能となる。この結果、箱本体１３内におけるケーブル１１の８の字巻きに乱れをなくし、もつれ、伸び、断線等を生じさせずにケーブル余長を円滑に引き出すことが可能となる。
【００３８】
次に、本発明に係るケーブル用収納箱の第二の実施の形態を説明する。
図３は中空管を取り付けた板状部材が外側面に装着された第二の実施の形態に係るケーブル用収納箱の分解斜視図である。
この実施の形態によるケーブル用収納箱２００Ａは、中空管２５が板状部材３１の平面３１ａに取り付けられる。板状部材３１は、外側面１７とほぼ同じサイズのダンボール板にて形成される。中空管２５は、インシュロック１５にて板状部材３１に固定される。つまり、中空管２５と板状部材３１が、余長収納部材１００Ａを構成する。余長収納部材１００Ａは、箱本体１３の外側面１７に取り付けられる。
【００３９】
余長収納部材１００Ａは、例えば板状部材３１がガムテープ（図示せず）により箱本体１３に固定される。固定の方法は、ガムテープ以外にも、面ファスナーを箱本体１３と板状部材３１の接合面に貼り付けておいてもよいし、箱本体１３に切れ目を入れ、板状部材３１の一部から爪を立てて係止し、保持するようにしてもよい。あるいは、接着材により貼り付けてもよいが、余長収納部材１００Ａを再利用する場合には不利である。
【００４０】
この実施の形態によるケーブル用収納箱２００Ａによれば、箱本体１３と別体の板状部材３１に中空管２５が取り付けられ、ケーブル用収納箱２００Ａと異なる作業しやすい位置でのケーブル１１の収納が可能となる。また、使用済みの箱本体１３から中空管２５を板状部材３１ごと分離し、分離した中空管２５及び板状部材３１からなる余長収納部材１００Ａの再利用を可能とすることもできる。また、箱本体１３と余長収納部材１００Ａの分離保管も可能となる。
【００４１】
図４は中空管がスライド自在となって箱内に収納される第三の実施の形態に係るケーブル用収納箱の斜視図である。
この実施の形態によるケーブル用収納箱２００Ｂは、余長収納部材１００Ａが、スライド自在に装備されて箱本体１３に収納可能となっている。すなわち、箱本体１３には外側面１７の内側に横方向に薄い扁平な収容空間３３が形成され、収容空間３３は隔壁３４にてケーブル収納空間と仕切られている。この収容空間３３は、正面２１に矩形状の開口部３５となって開口される。収容空間３３は、余長収納部材１００Ａの全体を収納可能としている。
【００４２】
余長収納部材１００Ａは、板状部材３１の奥行きを、箱本体１３の奥行きよりも小さくすることで、余長収納部材１００Ａの全体が開口部３５から進退自在にスライドできるようになされている。また、板状部材３１のスライド手前側の一部分の高さを箱本体１３の開口部３５の高さよりも大きくすることで、余長収納部材１００Ａの全体が箱本体１３から飛び出すのを防いでいる。
【００４３】
本実施の形態では、開口部３５の高さよりも板状部材３１の高さを高く形成し、板状部材３１の前縁上下を切り欠いて、開口部３５の高さよりも小さい引出部３７を形成している。これにより、引出部３７を持って余長収納部材１００Ａを容易に引き出せるようになっている。また、引出部３７と共に中空管２５の入り口２７及び出口２９が箱本体１３の外に配置でき、ケーブル１１の挿入、引き出しが容易に行えるようになっている。
【００４４】
図５（ａ）は中空管を引き出した状態の側面図、（ｂ）は中空管を箱内に収納した状態の側面図である。
この実施の形態によるケーブル用収納箱２００Ｂでは、余長収納部材１００Ａが箱本体１３内に収納されることにより、余長も箱本体１３によって保護されるので、搬出入作業により余長に生じる外傷を防止できる。図５（ａ）に示すように、余長収納作業中は、余長収納部材１００Ａの入り口２７及び出口２９が箱本体１３の外に出ている方が作業しやすいが、余長が箱本体１３から飛び出したままであると他部材と干渉して外傷を受ける虞が生じる。本構成では、図５（ｂ）に示すように、余長収納部材１００Ａをスライド可能に箱本体１３内に収納し、余長収納作業時は中空管２５の出口２９を外に出し、作業終了後は余長全体を箱本体１３内に収納することで、作業性向上と外傷防止を両立させている。
【００４５】
したがって、上記した余長収納部材１００，１００Ａによれば、所定長に形成され両端が開口した中空管２５であるので、単にケーブル余長の先端を中空管２５に押し込むだけで収納でき、余長を引き出す際には中空管２５から引っ張るだけで撚りを発生させずに引き出すことができる。この結果、ケーブル１１の絡まりを防止しつつ簡便に余長を保持でき、余長の有効利用を可能にし、資源の有効活用及びネットワーク構築コストを低減できる。
【００４６】
また、ケーブル用収納箱１００，１００Ａ，１００Ｂによれば、上記の余長収納部材１００を具備するので、箱本体１３と余長収納部材１００，１００Ａが一体となり、布設作業現場への搬入搬出が容易になる。この結果、作業性を向上させ、作業時間の短縮を可能にできる。
【００４７】
さらに、余長収納方法によれば、ケーブル用収納箱１００，１００Ａ，１００Ｂから引き出された余長ケーブルを上記の余長収納部材１００、１００Ａに挿通するので、余長ケーブルの先端を中空管２５の入り口２７に挿入し、順次押し込むことにより、任意長さのケーブル１１を、撚りを生じさせずに容易に収納することができる。
【実施例】
【００４８】
次に、図１に示した余長収納部材１００及びケーブル用収納箱２００と同様の構成で余長収納部材及びケーブル用収納箱を製作し、ケーブル収納の可否を調べた結果を説明する。
箱本体の外側面には中空管をＣ字型に曲げてインシュロックで固定した。中空管は、内径１５ｍｍ、外径２０ｍｍのＣＤ管で、曲げ内径を２３０ｍｍとした。余長収納部材全体の外径は２７０ｍｍとした。
この実施例によるケーブル用収納箱において、長辺２ｍｍ、短辺１．６ｍｍの断面略矩形状のインドア用光ケーブルを、中空管の入り口に挿入し、出口から引き出したケーブルを再び入り口に挿入して周回させることで、１０ｍの余長を容易に収納できることが確認できた。
【符号の説明】
【００４９】
１１  ケーブル
１３  箱本体（箱体）
１７  ケーブル引出口の開口した面を除く外側面
２１  正面（ケーブル引出口の開口した面）
２３  ケーブル引出口
２５  中空管
３１  板状部材
３１ａ  平面
１００，１００Ａ  余長収納部材
２００，２００Ａ，２００Ｂ  ケーブル用収納箱
【図１】
2010168074.tif 000003
【図２】
2010168074.tif 000004
【図３】
2010168074.tif 000005
【図４】
2010168074.tif 000006
【図５】
2010168074.tif 000007